(57)【要約】      （修正有）【課題】リールを取り付けるための一般的なリール取付機構を備えた釣竿に簡単かつ確実に装着することができる着脱式のトリガーを提供する。【解決手段】先端側に一対の取付腕部１１を備え、取付腕部１１間に釣竿の小径部１１３を挿入可能な二股部材１と、各取付腕部１１に軸支され、先端側が小径部１１３のシート部１１４側の側面と当接する一対のサポート片２と、二股部材１の取付腕部１１の反対側に設けられた指掛突起部３と、から釣竿用トリガー１０を構成した。【選択図】図６
0003117959.tif 000002
【実用新案登録請求の範囲】
【請求項１】
釣竿の竿元側に設けられた大径部と、該大径部に段部を介して隣り合う小径部と、前記大径部から前記小径部に亘って形成され、リールの脚部を載置可能なシート部と、該シート部の大径部側に設けられ、前記リールの脚部の一端を係止可能な固定係止部と、前記小径部に竿軸方向へスライド移動可能に設けられ、前記リールの脚部の他端を係止可能な移動係止部と、前記小径部に設けられた雄ネジ部に螺合し、周方向へ回転させることにより前記移動係止部を移動させるナット部と、を備えたリール取付機構を備えた釣竿に、着脱自在に装着し得るトリガーであって、
先端側に一対の取付腕部を備え、該取付腕部間に前記釣竿の小径部が挿入されたとき、該小径部の前記シート部反対側の側面と当接する二股部材と、
前記取付腕部にそれぞれ揺動可能に軸支され、該取付腕部間に前記釣竿の小径部が挿入されたとき、先端側が該小径部の前記シート部側の側面と当接し、かつ、後端側が前記二股部材と重なる一対のサポート片と、
前記二股部材の前記取付腕部の反対側に設けられた指掛突起部と、
から構成されており、
前記二股部材を前記シート部の反対側から前記釣竿の小径部に被嵌することにより前記取付腕部間に該小径部を挿入し、そして、前記ナット部を回転させて前記移動係止部を前記段部へ向けて移動させ、該移動係止部と該段部との間で該二股部材及び該サポート片を同時に挟んで固定することにより該釣竿に装着することを特徴とした釣竿用トリガー。
【請求項２】
前記サポート片の内側部が、前記釣竿の小径部の外径と略同じ内径を有する円弧形状に形成されており、前記取付腕部間に該小径部が挿入されたとき、該サポート片の内側部の全体が該小径部の側面と当接する請求項１記載の釣竿用トリガー。
【請求項３】
前記二股部材に、前記釣竿の小径部に形成されたスライド溝に係合可能な係合突起が設けられている請求項１または請求項２記載の釣竿用トリガー。
【請求項４】
前記二股部材に、前記釣竿の移動係止部を覆うガード部が設けられている請求項１乃至請求項３のいずれかに記載の釣竿用トリガー。
【考案の詳細な説明】
【技術分野】
【０００１】
本考案は、釣竿の竿元側に着脱自在に装着し得る釣竿用トリガーに関する。
【背景技術】
【０００２】
従来、釣竿の操作性を高めるために竿元側のグリップ部にトリガーを突設した釣竿が知られている。そして、現在までに、このトリガーをグリップ部に対して着脱し得る釣竿が提案されている（例えば、特許文献１参照）。しかしながら、この釣竿は、予めグリップ部にトリガーを取り付けるための取付孔が設けられたものであり、このような取付孔を備えていない一般の釣竿にはトリガーを装着することができない難点があった。
【特許文献１】特開平１０−３０９１５５号公報
【考案の開示】
【考案が解決しようとする課題】
【０００３】
本考案は、従来のトリガー付き釣竿に上記のような難点があったことに鑑みて為されたもので、取付孔等を備えていない一般の釣竿に対しても簡単かつ確実に装着することができる着脱式トリガーを提供することを目的とする。
【課題を解決するための手段】
【０００４】
本考案は、釣竿の竿元側に設けられた大径部と、該大径部に段部を介して隣り合う小径部と、前記大径部から前記小径部に亘って形成され、リールの脚部を載置可能なシート部と、該シート部の大径部側に設けられ、前記リールの脚部の一端を係止可能な固定係止部と、前記小径部に竿軸方向へスライド移動可能に設けられ、前記リールの脚部の他端を係止可能な移動係止部と、前記小径部に設けられた雄ネジ部に螺合し、周方向へ回転させることにより前記移動係止部を移動させるナット部と、を備えたリール取付機構を備えた釣竿に、着脱自在に装着し得るトリガーであって、
先端側に一対の取付腕部を備え、該取付腕部間に前記釣竿の小径部が挿入されたとき、該小径部の前記シート部反対側の側面と当接する二股部材と、
前記取付腕部にそれぞれ揺動可能に軸支され、該取付腕部間に前記釣竿の小径部が挿入されたとき、先端側が該小径部の前記シート部側の側面と当接し、かつ、後端側が前記二股部材と重なる一対のサポート片と、
前記二股部材の前記取付腕部の反対側に設けられた指掛突起部と、
から構成されており、
前記二股部材を前記シート部の反対側から前記釣竿の小径部に被嵌することにより前記取付腕部間に該小径部を挿入し、そして、前記ナット部を回転させて前記移動係止部を前記段部へ向けて移動させ、該移動係止部と該段部との間で該二股部材及び該サポート片を同時に挟んで固定することによって該釣竿に装着することを特徴としている。
【０００５】
また、本考案は、前記サポート片の内側部が、前記釣竿の小径部の外径と略同じ内径を有する円弧形状に形成されており、前記取付腕部間に該小径部が挿入されたとき、該サポート片の内側部の全体が該小径部の側面と当接することを特徴とする。
【０００６】
更にまた、本考案は、前記二股部材に、前記釣竿の小径部に形成されたスライド溝に係合可能な係合突起が設けられていることを特徴とする。
【０００７】
更にまた、本考案は、前記二股部材に、前記釣竿の移動係止部を覆うガード部が設けられていることを特徴とする。
【考案の効果】
【０００８】
本考案に係る釣竿用トリガーによれば、周知のリール取付機構の移動係止部と段部との間で、トリガーの二股部材及びサポート片を挟んで固定することができるので、リール取付機構のナット部を回転操作するだけで簡単に釣竿に装着することができる。
【０００９】
しかも、トリガーを装着したとき、サポート片の先端側の内側部が、釣竿の小径部を抱き込むように小径部のシート部側の側面と当接し、そして、各サポート片の後端側が二股部材と重なり合う。したがって、二股部材及びサポート片を移動係止部と段部の間で挟んだとき、二股部材とサポート片の摩擦抵抗を利用してサポート片を二股部材に対し揺動不能に固定することができる。したがって、釣竿の操作中に、サポート片が簡単に揺動してしまうこともなくトリガーが抜けてしまうおそれもない。
【考案を実施するための最良の形態】
【００１０】
以下、本実施形態の釣竿用トリガーについて、図１〜図７を参照しながら説明する。本実施形態のトリガー１０は、図６に示すように、リールを取り付けるための周知のリール取付機構１１０を備えた釣竿１００に対して着脱自在に装着することができる。まず、図８を参照しながら、周知のリール取付機構１１０について説明する。
【００１１】
リール取付機構１１０は、釣竿１００の竿元側に設けられた大径部１１１と、この大径部１１１に段部１１２を介して隣り合う小径部１１３と、大径部１１１から小径部１１３に亘って形成され、リールの脚部１２０を載置可能なシート部１１４と、このシート部１１４の大径部１１１側に設けられ、リールの脚部１２０の一端１２１を係止可能な固定係止部１１５と、小径部１１３に竿軸方向へスライド移動可能に設けられ、リールの脚部１２０の他端１２２を係止可能な移動係止部１１６と、小径部１１３に設けられた雄ネジ部１１７に螺合し、周方向へ回転させることにより移動係止部１１６を移動させ得るナット部１１８と、から構成されている。
【００１２】
そして、小径部１１３のシート部１１４とは反対側の側面には、竿軸方向に沿ってスライド溝１１９が形成されており、移動係止部１１６に設けられた不図示の突起がこのスライド溝１１９に係合している。このことで、移動係止部１１６は、周方向に回転しないで竿軸方向にスライド移動する。また、リール取付機構１１０は、釣竿１００の竿元側に形成されたグリップ部１０１に設けられており、このグリップ部１０１には、予め固定式のトリガー１０２が一体成形されている。
【００１３】
このリール取付機構１１０を備えた釣竿１００にリールを取り付けるには、まず、図８（ａ）に示すように、リールの脚部１２０の一端１２１を固定係止部１１５の凹部に差し込んだ状態でリールの脚部１２０をシート部１１４に載置する。その後、図８（ｂ）に示すように、ナット部１１８を回転させて移動係止部１１６を段部１１２へ向けてスライド移動させる。このことで、移動係止部１１６とシート部１１４との隙間でリールの脚部１２０の他端１２２を係止する。こうして、リールが釣竿１００に取り付けられる。
【００１４】
本実施形態のトリガー１０は、図１〜図７に示すように、主として、先端側に一対の取付腕部１１を備えた二股部材１と、各取付腕部１１に揺動可能に軸支されたサポート片２と、二股部材１の後端側に設けられた指掛突起部３と、から構成されている。
【００１５】
二股部材１は、図１に示すように、先端側に一対の取付腕部１１を備えて正面視略Ｕ字形状に形成されており、これら取付腕部１１の間に上記釣竿１００の小径部１１３を挿入することができる。二股部材１の取付腕部１１の間の奥部１２は、小径部１１３の外径とほぼ同じ内径を有する円弧形状に形成されており、取付腕部１１間に小径部１１３が挿入されたとき、図７に示すように、二股部材１の奥部１２が、小径部１１３のシート部１１４とは反対側の側面とほぼ隙間なく当接する。
【００１６】
また、二股部材１の奥部１２には、釣竿１００の小径部１１３に形成されたスライド溝１１９に係合可能な係合突起１３が設けられている。図１（ｂ）及び図３に示すように、本実施形態の二股部材１は、アルミ材から成る金属部１ａと木質材から成る木質部１ｂとを積層して構成されており、この金属部１ａにアルミ材から成る係合突起１３が嵌合固定されている。また、二股部材１には、釣竿１００の移動係止部１１６の外径よりも若干大きな内径を有する略半円筒形状のガード部１４が設けられている。このカード部１４は、木質材から成り、二股部材１の木質部１ｂと一体に形成されている。
【００１７】
サポート片２は、図１及び図２に示すように、一定の幅を有するアルミ材から成る平板部材であり、平面上において略円弧状に湾曲している。そして、サポート片２の中央部がリベット軸２１により上記二股部材１の各取付腕部１１に軸支されている。また、一対のサポート片２の互いに対向する内側部２２は、小径部１１３の外径と略同じ内径を有する円弧形状に形成されている。このことで、取付腕部１１の間に小径部１１３が挿入されたとき、図７に示すように、各サポート片２の内側部２２の全体が小径部１１３の側面とほぼ隙間なく当接する。即ち、各サポート片２のリベット軸２１よりも先端２３側の内側部が、小径部１１３のシート部１１４側の側面と当接し、各サポート片２のリベット軸２１よりも後端２４側の内側部が、小径部１１３のシート部１１４とは反対側の側面と当接する。更にまた、取付腕部１１の間に小径部１１３が挿入されたとき、各サポート片２の後端２４側が二股部材１と重なり合う。
【００１８】
指掛突起部３は、釣竿１００を操作する者の指先を掛けるための突起部材であり、図１に示すように、二股部材１における取付腕部１１とは反対側に設けられている。本実施形態の指掛突起部３は、木質材から成り、図３に示すように、二股部材１の木質部１ｂ及びガード部１４と一体に形成されている。
【００１９】
次に、本実施形態のトリガー１０の装着手順について説明する。トリガー１０は、上述したリール取付機構１１０の機能を利用することによって釣竿１００に装着することができる。
【００２０】
まず、図４に示すように、リール取付機構１１０の移動係止部１１６を段部１１２の反対側へ移動させておく。そして、トリガー１０の各サポート片２の先端２３側を開いた状態（図５参照）で、トリガー１０の二股部材１をシート部１１４の反対側から釣竿１００の小径部１１３に跨がせるように被嵌する。こうして、二股部材１の取付腕部１１間に小径部１１３を挿入する（図７参照）。なお、リールも同時に取り付ける場合には、上述したように、リールの脚部１２０の一端１２１を固定係止部１１５に係止しながらリールの脚部１２０をシート部１１４上に載置する。
【００２１】
その後、リール取付機構１１０のナット部１１８を回転操作して移動係止部１１６を段部１１２へ向けてスライド移動させる。このことによって、図６に示すように、移動係止部１１６と段部１１２との間で、二股部材１及びサポート片２を同時に挟んで固定する。リールも同時に取り付ける場合には、上述したように、移動係止部１１６をスライド移動させて移動係止部１１６でリールの脚部１２０の他端１２２を係止する。
【００２２】
こうして、リール取付機構１１０を利用してトリガー１０を釣竿１００に装着することができ、また、ナット部１１８を逆回転操作して移動係止部１１６を段部１１２の反対側へ移動させれば、トリガー１０を釣竿１００から取り外すことができるのである。
【００２３】
このように、本実施形態のトリガー１０にあっては、移動係止部１１６と段部１１２とによって、小径部１１３に被嵌した二股部材１及びサポート片２を同時に挟んで固定することができるので、リール取付機構１１０のナット部１１８を回転操作するだけで、簡単に釣竿１００にトリガー１０を装着することができる。
【００２４】
しかも、トリガー１０を装着したとき、各サポート片２の先端２３側の内側部が、小径部１１３を抱き込むように小径部１１３のシート部１１４側の側面と当接し、そして、各サポート片２の後端２４側が二股部材１と重なり合う。したがって、二股部材１及びサポート片２を移動係止部１１６と段部１１２との間で挟んだとき、二股部材１とサポート片２との摩擦抵抗を利用して、サポート片２を二股部材１に対して揺動不能に固定することができる。したがって、釣竿１００の操作中に、サポート片２が簡単に揺動してしまうこともなくトリガー１０が抜けてしまうおそれもない。
【００２５】
また、本実施形態のトリガー１０は、各サポート片２の内側部２２が小径部１１３の外径と略同じ内径を有する円弧形状に形成され、トリガー１０を装着したとき、各サポート片２の内側部２２の全体が小径部１１３の側面と当接するので、トリガー１０をより安定的に装着することができる。
【００２６】
また、本実施形態のトリガー１０は、小径部１１３のスライド溝１１９に係合可能な係合突起１３を設けているので、釣竿１００の操作中にトリガー１０が回転してしまうおそれもない。
【００２７】
また、本実施形態のトリガー１０は、移動係止部１１６の外径よりも若干大きな内径を有するガード部１４を指掛突起部３の近傍に設けているので、トリガー１０を装着したとき、このガード部１４によって、指掛突起部３の近傍において二股部材１と移動係止部１１６との接触部分を覆うことができる。したがって、釣竿１００の操作時に、二股部材１と移動係止部１１６との接触部分に指先が引っ掛かることもない。
【００２８】
以上、本考案に係るトリガーについて、代表的な実施形態を説明したが、本考案に係るトリガーは、その他の形態でも実施することができる。
【００２９】
例えば、上記実施形態では、トリガー１０の二股部材１及びサポート片２を、移動係止部１１６と段部１１２とによって直接、挟んで固定しているが、二股部材１と移動係止部１１６と間に、例えば略半円形状、或いは略Ｕ字形状のスペーサを介在させた状態で挟んで固定しても良い。スペーサを介在させることによって、リール取付機構１１０の移動係止部１１６による、トリガー１０の固定状態とリールの固定状態とを調整することが可能となる。また同様に、リール取付機構１１０のシート部１１４とリールの脚部１２０との間にスペーサを介在させてリールを取り付けるようにしても良い。
【００３０】
本考案はその趣旨を逸脱しない範囲内で、当業者の知識に基づいて種々の改良、修正、変形を加えた態様で実施し得るものである。また、同一の作用又は効果が生じる範囲内でいずれかの考案特定事項を他の技術に置換した形態で実施しても良く、また、一体に構成されている考案特定事項を複数の部材から構成したり、複数の部材から構成されている考案特定事項を一体に構成した形態で実施しても良い。
【図面の簡単な説明】
【００３１】
【図１】本実施形態の釣竿用トリガーを示す説明図であり、（ａ）は全体正面図であり、（ｂ）は、全体側面図である。
【図２】同トリガーの全体裏面図である。
【図３】同トリガーの図１（ａ）におけるＡ−Ａ線断面図である。
【図４】同トリガーの装着手順を示す要部側面図である。
【図５】同トリガーの装着手順を示す要部裏面図である。
【図６】同トリガーの装着手順を示す要部側面図である。
【図７】同トリガーの装着手順を示す要部裏面図である。
【図８】釣竿の周知のリール取付機構の説明図である。
【符号の説明】
【００３２】
１０  トリガー
１  二股部材
１１  取付腕部
１２  奥部
１３  係合突起
１４  ガード部
２  サポート片
２２  サポート片の内側部
２３  サポート片の先端
２４  サポート片の後端
３  指掛突起部
１００  釣竿
１１０  リール取付機構
１１１  大径部  
１１２  段部
１１３  小径部
１１４  シート部
１１５  固定係止部
１１６  移動係止部
１１７  雄ネジ部
１１８  ナット部
１１９  スライド溝
１２０  リールの脚部
１２１  リールの脚部の一端
１２２  リールの脚部の他端
【図１】
0003117959.tif 000003
【図２】
0003117959.tif 000004
【図３】
0003117959.tif 000005
【図４】
0003117959.tif 000006
【図５】
0003117959.tif 000007
【図６】
0003117959.tif 000008
【図７】
0003117959.tif 000009
【図８】
0003117959.tif 000010